(57)【要約】【課題】歯科治療用椅子において、患者の体圧に応じたクッション性を実現する。【解決手段】バックレスト２に患者の頚部を支えるネックサポート５と患者の腰部を支えるランバーサポート６が設けられ、コンターシート３に患者の膝部を支えるニーサポート７が設けられ、フットシート４に患者の足首を支えるアンクルサポート８が設けられている。これらサポートは袋体で構成され、上面に体圧を測定するための体圧測定センサ９が配置されている。これら袋体の内部圧力を体圧測定センサの測定信号に基づいて制御することにより、サポートのクッション性を調整することができる。【選択図】図１
2005087287.tif 000002
【特許請求の範囲】
【請求項１】
バックレスト、コンターシートおよびフットシートを有する歯科治療用椅子において、前記バックレストの前面上方中央部に患者の頚部を支えるネックサポートが設けられ、該ネックサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とする歯科治療用椅子。
【請求項２】
前記ネックサポートが上下動可能に設けられたことを特徴とする請求項１に記載の歯科治療用椅子。
【請求項３】
バックレスト、コンターシートおよびフットシートを有する歯科治療用椅子において、前記バックレストの前面下方中央部に患者の腰部を支えるランバーサポートが設けられ、該ランバーサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とする歯科治療用椅子。
【請求項４】
前記ランバーサポートが上下動可能に設けられたことを特徴とする請求項３に記載の歯科治療用椅子。
【請求項５】
バックレスト、コンターシートおよびフットシートを有する歯科治療用椅子において、前記コンターシートの上面前方中央部に患者の膝部を支えるニーサポートが設けられ、該ニーサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とする歯科治療用椅子。
【請求項６】
前記ニーサポートが前後動可能に設けられたことを特徴とする請求項５に記載の歯科治療用椅子。
【請求項７】
バックレスト、コンターシートおよびフットシートを有する歯科治療用椅子において、前記バックレストの前面上方中央部に患者の頚部を支えるネックサポートが設けられ、前記バックレストの前面下方中央部に患者の腰部を支えるランバーサポートが設けられ、前記コンターシートの上面前方中央部に患者の膝部を支えるニーサポートが設けられ、前記ネックサポート、前記ランバーサポート、前記ニーサポートのそれぞれは、内部に圧力流体が導入されるように袋体で構成されるとともに、上面に体圧を測定するための体圧測定センサが配置されており、これら袋体の内部圧力を前記体圧測定センサの測定信号に基づいて制御する制御手段を有することを特徴とする歯科治療用椅子。
【請求項８】
前記ネックサポートが上下動可能に設けられ、前記ランバーサポートが上下動可能に設けられ、前記ニーサポートが前後動可能に設けられたことを特徴とする請求項７に記載の歯科治療用椅子。
【発明の詳細な説明】
【技術分野】
【０００１】
本発明は、歯科治療において、治療中に、患者を座らせたり、寝させたりするための歯科治療用椅子に関するものである。
【背景技術】
【０００２】
図４は、従来の歯科治療用椅子の一例を説明するためもので、特許文献１に開示された歯科治療用椅子の外観図である。図中、２１は基台、２２はバックレスト、２３はコンターシート、２４はフットシート、２５はネックサポート、２６はランバーサポート、２７はニーサポートである。
【０００３】
歯科治療用椅子は、基本的には、基台２１，バックレスト２２，コンターシート２３，フットシート２４から構成されており、基台２１に、バックレスト２２，コンターシート２３，フットシート２４の上昇下降、あるいは、傾斜角度等を調整できる機構が内蔵されている。この例では、バックレスト２２の前面に患者の頚椎を支えるネックサポート２５、および、腰部を支えるランバーサポート２６が上下方向に移動可能に設けられているとともに、コンターシート２３の上面に、患者の膝部を支えるニーサポート２７が前後方向に移動可能に設けられている。ネックサポート２５，ランバーサポート２６，ニーサポート２７を移動、調整することによって、歯科治療用椅子を患者の体型に適したものにすることができる。
【特許文献１】特開２００２−１５９５４０号公報
【発明の開示】
【発明が解決しようとする課題】
【０００４】
図４で説明したような歯科治療用椅子は、ネックサポート２５，ランバーサポート２６，ニーサポート２７を、患者の体型に適するように移動、調整することができる。しかしながら、患者の体がネックサポート２５，ランバーサポート２６，ニーサポート２７等のサポートにおいて、患者が支持される部分のクッション性は、材料で決まってしまい、必ずしも心地よいクッション性が発揮されてはいない。サポートにクッション性を与える材料として弾性率の大きい材料を選択すると、腰部や頭部のようにサポートに及ぼす圧力が大きい部分では、体が沈んでしまい、好ましいものではない。弾性率が小さい材料を選択すると、サポートに硬さが感じられ、これも好ましいものではない。サポートに与える圧力に応じて、弾性率を部分的に変えるようにすることも考えられるが、患者の体格によって体がサポートに与える圧力が個々の患者の体重によって異なるから、個々の患者に適したサポートを実現することはできない。さらに、バックレスト２２とフットシート２４の傾斜角度によっても、サポートに及ぼす圧力が相違してしまうという問題もある。
【０００５】
本発明は、上述した事情に鑑みてなされたもので、患者がサポートに与える圧力に応じたクッション性を与えることができ、さらには、個々の患者の体格に応じても、適当なクッション性を実現できる歯科治療用椅子を提供することを目的とするものである。
【課題を解決するための手段】
【０００６】
請求項１に記載の発明は、バックレスト、コンターシートおよびフットシートを有する歯科治療用椅子において、前記バックレストの前面上方中央部に患者の頚部を支えるネックサポートが設けられ、該ネックサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とするものであり、請求項２に記載の発明は、請求項１に記載の歯科治療用椅子において、前記ネックサポートが上下動可能に設けられたことを特徴とするものである。
【０００７】
請求項３に記載の発明は、バックレスト、コンターシートおよびフットシートを有する歯科治療用椅子において、前記バックレストの前面下方中央部に患者の腰部を支えるランバーサポートが設けられ、該ランバーサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とするものであり、請求項４に記載の発明は、請求項３に記載の歯科治療用椅子において、前記ランバーサポートが上下動可能に設けられたことを特徴とするものである。
【０００８】
請求項５に記載の発明は、バックレスト、コンターシートおよびフットシートを有する歯科治療用椅子において、前記コンターシートの上面前方中央部に患者の膝部を支えるニーサポートが設けられ、該ニーサポートは、内部に圧力流体が導入されるように袋体で構成されるとともに、上面に体圧を測定するための体圧測定センサが配置されており、前記袋体の内部圧力を前記体圧測定センサの測定信号に基づいて制御する制御手段を有することを特徴とするものであり、請求項６に記載の発明は、請求項５に記載の歯科治療用椅子において、前記ニーサポートが前後動可能に設けられたことを特徴とするものである。
【０００９】
請求項７に記載の発明は、バックレスト、コンターシートおよびフットシートを有する歯科治療用椅子において、前記バックレストの前面上方中央部に患者の頚部を支えるネックサポートが設けられ、前記バックレストの前面下方中央部に患者の腰部を支えるランバーサポートが設けられ、前記コンターシートの上面中央部に患者の膝部を支えるニーサポートが設けられ、前記ネックサポート、前記ランバーサポート、前記ニーサポートのそれぞれは、内部に圧力流体が導入されるように袋体で構成されるとともに、上面に体圧を測定するための体圧測定センサが配置されており、これら袋体の内部圧力を前記体圧測定センサの測定信号に基づいて制御する制御手段を有することを特徴とするものであり、請求項８に記載の発明は、請求項７に記載の歯科治療用椅子において、前記ネックサポートが上下動可能に設けられ、前記ランバーサポートが上下動可能に設けられ、前記ニーサポートが前後動可能に設けられたことを特徴とするものである。
【発明の効果】
【００１０】
本発明によれば、患者の体重に応じて適度のクッション性を持たせた歯科治療用椅子を実現できるという効果がある。
【発明を実施するための最良の形態】
【００１１】
本発明は、ネックサポート，ランバーサポート，ニーサポートの少なくとも１つを袋体で構成して、袋体の上面に体圧を測定するための体圧測定センサを配置し、袋体の内部に圧力流体を、体圧測定センサの測定信号に応じた圧力となるように導入することによって、体圧に応じた適度のクッション性を与えることが可能となる。また、サポートを移動可能に設けることによって、単一の歯科治療用椅子により、大人から子供まで、さらには、患者の一人一人の体型にフィットした形態にすることができ、治療用椅子を各患者に適した状態にして歯科治療を行なうことができる。
【実施例１】
【００１２】
図１は、本発明の歯科治療用椅子の第１の実施例を説明するための要部斜視図である。図中、１は基台、２はバックレスト、３はコンターシート、４はフットシート、５はネックサポート、６はランバーサポート、７はニーサポート、８はアンクルサポート、９は体圧測定センサである。基台１には、バックレスト２，コンターシート３，フットシート４の上昇下降、あるいは、傾斜角度等を調整できる機構が内蔵されている。バックレスト２の前面上方中央部に患者の頚椎を支えるネックサポート５が設けられ、バックレスト２の前面下方中央部に患者の腰部を支えるランバーサポート６が設けられ、コンターシート３の上面前方中央部に患者の膝部を支えるニーサポート７が設けられ、フットシート４の上面下方中央部に足首を支えるためのアンクルサポート８が設けられている。
【００１３】
なお、この実施例では、ネックサポート５、ランバーサポート６、ニーサポート７の３種のサポートに加えて、アンクルサポート８が設けられているが、本発明は、この実施例に限られるものではなく、アンクルサポート８は設けなくてもよい。また、ネックサポート５、ランバーサポート６、ニーサポート７の３種のサポートについても、必ずしも全てを設けることに限られるものではなく、これらのうちの任意の１つ又は２つを設けるようにしてもよい。
【００１４】
各サポートの上面には、体圧測定センサ９が配置されている。体圧測定センサ９は、この実施例では、各サポートに２つずつ配置されている。体圧測定センサ９としては、サポータにかかる体圧を信号、例えば、電気信号に変換できるセンサが用いられる。押圧力を電気抵抗に変換する半導体歪計等の歪検出器や、押圧力を電気容量に変換する容量型の検出器等、適宜のセンサを用いることができる。１つのサポートに対して、この実施例のように、複数の体圧測定センサ９を配置した場合は、各体圧測定センサ９によって得られる信号出力の平均値や最大値など、適当な演算処理をして、そのサポートにおける体圧測定センサ９の出力信号とするようにする。
【００１５】
サポートの構造の一例について図２で説明する。図中、５はネックサポート、５ａは基板、５ｂはエアーバッグ、９は体圧測定センサ、１０ａ，１０ｂは電磁バルブ、１１ａ，１１ｂは接続パイプ、１２は圧力調整装置、１２ａは圧力室、１３，１４はストップバルブ、１５は電磁バルブ、１６は圧力導入パイプ、１７はストップバルブ駆動機構、１８は圧力測定センサである。図２では、図１で説明したネックサポート５について図示しているが、ランバーサポート６，ニーサポート７，アンクルサポート８についても同様であるので説明を省略する。
【００１６】
アンクルサポート５は、剛性があり体圧では曲がりにくい材料の基板５ａの上部にエアーバッグ５ｂを取り付けて、内部に圧力流体が導入できるように、袋体となるように構成されている。エアーバッグ５ｂの材料としては、樹脂を含浸させた布や、樹脂膜と布を層状にしたものなど、可撓性と気密性を備えたシートや、天然ゴムや合成ゴムなど、可撓性と弾力性と気密性を備えたシートなどが用いられる。エアーバッグの上面に体圧測定センサ９が配置されていることは上述したとおりである。形状は、中央が凹んだ蒲鉾型であるが、この形状に限られず、適宜の形状でよい。
【００１７】
基板５ａに開けられた孔に連通するように取り付けられた接続パイプ１１ａを通して、ネックサポート５の内部が圧力調整装置１２に連通されているが、接続パイプ１１ａには電磁バルブ１０ａが介在されている。電磁バルブ１０ａは、図示しない制御装置によって作動され、ネックサポート５の圧力調整を行なう場合に、電磁バルブ１０ａが開となり、圧力調整が終了したときに、閉となるように作動される。
【００１８】
圧力調整装置１２には、圧力室１２ａに高圧を導入動作を行なうためのストップバルブ１３と、圧力室１２ａの減圧動作を行なうためのストップバルブ１４が設けられている。ストップバルブ１３側には、圧力導入パイプ１６からの高圧流体が電磁バルブ１５を介して導入される。したがって、電磁バルブ１５が開となると、ストップバルブ１３のばね力に抗して、高圧流体が圧力室１２ａに導入され、圧力室１２ａの内部圧力が徐々に昇圧される。また、電磁バルブ１５を閉とした状態で、ストップバルブ１４をばね力に抗して押し上げてストップバルブ１４の弁が弁座から離れるようにストップバルブ駆動機構１７を作動させることによって、圧力室１２ａの内部圧力を徐々に減圧させることができる。電磁バルブ１０ａが開となっている状態では圧力室１２ａとネックサポート５の内部とが連通されているから、圧力室１２ａの内部圧力とネックサポート５の内部圧力とが同じとなるが、接続パイプ１１ａの内径が、流路抵抗が問題となるように小さい場合は、圧力室１２ａの内部圧力の上昇・下降に対して、ネックサポート５の内部圧力の上昇・下降との間にタイムラグが生じる。したがって、このタイムラグを考慮して制御を行なえばよい。接続パイプ１１ａの内径を大きくして、流路抵抗が問題とならないようにしておけば、圧力室１２ａの内部圧力とネックサポート５の内部圧力とは、タイムラグなく同じとなる。圧力室１２ａの内部圧力を信号、例えば、電気信号に変換するように、圧力測定センサ１８が設けられている。
【００１９】
圧力調整動作について説明する。ネックサポート５の内部圧力を調整する場合は、電磁バルブ１０ａを開とするように、図示しない制御装置が電磁バルブ１０ａを制御する。制御装置は、患者の体圧に基づく体圧測定センサ９の出力信号と圧力室１２ａの内部圧力に基づく圧力測定センサ１８の出力信号とを比較して、圧力測定センサ１８の出力信号が体圧測定センサ９の出力信号より小さい場合は、電磁バルブ１５を開となるように制御して、ネックサポート５の内部圧力を徐々に高める。圧力測定センサ１８の出力信号と体圧測定センサ９の出力信号が同じとなったときに、電磁バルブ１５を閉とするように制御して、ネックサポート５の内部圧力を体圧に応じた値とすることができる。圧力測定センサ１８の出力信号が体圧測定センサ９の出力信号より大きい場合は、制御装置は、電磁バルブ１５を閉としたまま、ストップバルブ駆動機構１７を作動させ、圧力室１２ａを大気に連通させて、ネックサポート５の内部圧力を徐々に低下させる。圧力測定センサ１８の出力信号と体圧測定センサ９の出力信号が同じとなったときに、ストップバルブ駆動機構１７の作動を停止させて、ネックサポート５の内部圧力を体圧に応じた値とすることができる。
【００２０】
上述した説明では、ネックサポート５についての説明であるが、接続パイプ１１ｂを他のサポートに接続し、さらに、接続パイプを必要により増設することによって、より多くのサポートの圧力調整を行なうことができる。このようにすることによって、１つの圧力調整装置を切り換えて、複数のサポートの圧力調整を行なうことができる。もちろん、各サポートごとに上述した圧力調整装置を設けるようにしてもよい。このようにすれば、コストアップにはなるが、調整時間が短くなるという利点がある。
【００２１】
なお、上述した圧力調整動作は、圧力測定センサ１８の出力信号について体圧測定センサ９の出力信号を目標値として、圧力測定センサ１８の出力信号が体圧測定センサ９の出力信号と同じ値となるように制御したが、体圧測定センサ９の出力信号に所定の比率を乗じた値を目標値としてもよい。その場合、上述した比率を１より大きくした場合は、サポートのクッション性を硬めにすることができ、上述した比率を１より小さくした場合は、サポートのクッション性を柔らかめにすることができる。もちろん、この比率を、ネックサポート５，ランバーサポート６，ニーサポート７，アンクルサポート８により異なる比率とすることによって、患者の体の部位に応じたクッション性を持たせることができる。さらに、圧力調整機構は、上述したものに限られるものではなく、サポートの内部圧力を体圧測定センサの出力信号に基づいて制御できるものであればよい。
【００２２】
また、サポートに導入する圧力流体としては、空気等の気体や、オイルや水等の液体を用いることができるものである。
【実施例２】
【００２３】
図３は、本発明の歯科治療用椅子の第２の実施例を説明するための要部斜視図である。図中、図１と同様の部分には同じ符号を付して説明を省略する。１９，２０はスリットである。
【００２４】
第１の実施例では、ネックサポート５，ランバーサポート６，ニーサポート７，アンクルサポート８の位置が固定されているのに対して、第２の実施例では、ネックサポート５，ランバーサポート６，ニーサポート７の位置が移動可能に設けられている点が相違する。アンクルサポート８も移動可能に設けてもよいことはもちろんである。
【００２５】
すなわち、バックレスト２の前面中央部には、ネックサポート５およびランバーサポート６を上下方向（矢印Ａ方向）に移動させるためのスリット１９が設けられている。また、コンターシート３の中央部には、ニーサポート７を前後方向（矢印Ｂ方向）に移動させるためのスリット２０が設けられており、各サポートは、各サポートの図示しない裏側からバックレスト２またはコンターシート３内に延長する支持杆を具備し、該支持杆が、バックレスト２内、または、コンターシート３内に設けられた、適宜の駆動手段により、例えば、手動により、または、モータ、油圧シリンダ、エアシリンダ等の動力源を用いて矢印ＡまたはＢ方向に移動されるようになっている。
【００２６】
動力源を用いて駆動（位置調整）する場合、バックレスト２またはコンターシート３等に設けられている患者またはアシスタント用の操作スイッチ、あるいは、ワークテーブル等に設けられているドクター用の操作スイッチ等により、患者自身の操作により、あるいは、アシスタントまたはドクターの操作により、各サポートの位置を任意所望の位置に調整することができる。または、リモコンを用いて、調整するようにすることもできる。
【００２７】
なお、手動で調整する場合は、前述の作動杆をバックレスト本体又はコンターシート本体に設けられたガイドレール等に沿って移動可能に、かつ、所望位置に移動した後に、その所望位置にて前記ガイドレール等に固定しておく必要がある。そのため、手動駆動方式の場合には、前記作動杆とバックレスト本体またはコンターシート本体との間にブレーキを具備し、移動に先立って、該ブレーキを解除し、所望位置に移動した時にロックするようにする必要があるが、このブレーキの解除、ロックは、前記作動杆を前記ガイドレール等に摩擦抵抗手段を介して締め付ける周知の手段を適用して、手動にて、または、電気、或いは、油圧、空気圧を用いて行なうとよい。
【００２８】
上述したサポートの内部圧力の調整やサポートの位置の調整は、椅子のシートの角度を変更した都度に行なわれるのがよい。また、長時間の治療においては、所定時間ごと、例えば、１０分程度ごとに、目標値を変化させることができ、例えば、柔らかめになるように目標値を変化させることによって、患者の疲労を軽減させることができる。このように適宜の時間間隔でクッション性を変化させることができ、患者の体への負担の軽減と患者の緊張感を和らげることができる。
【産業上の利用可能性】
【００２９】
歯科治療用椅子において、クッション性を患者の体圧に応じて調整できるので、歯科の治療に用いて有効である。
【図面の簡単な説明】
【００３０】
【図１】本発明の歯科治療用椅子の第１の実施例を説明するための要部斜視図である。
【図２】サポートの構造の一例の説明図である。
【図３】本発明の歯科治療用椅子の第２の実施例を説明するための要部斜視図である。
【図４】従来の歯科治療用椅子の一例を説明するための要部斜視図である。
【符号の説明】
【００３１】
１…基台、２…バックレスト、３…コンターシート、４…フットシート、５…ネックサポート、５ａ…基板、５ｂ…エアーバッグ、６…ランバーサポート、７…ニーサポート、８…アンクルサポート、９…体圧測定センサ、１０ａ，１０ｂ…電磁バルブ、１１ａ，１１ｂ…接続パイプ、１２…圧力調整装置、１２ａ…圧力室、１３，１４…ストップバルブ、１５…電磁バルブ、１６…圧力導入パイプ、１７…ストップバルブ駆動機構、１８…圧力測定センサ。
【図１】
2005087287.tif 000003
【図２】
2005087287.tif 000004
【図３】
2005087287.tif 000005
【図４】
2005087287.tif 000006